(57)【要約】【課題】フリッカの発生を防止し表示品位の高い液晶表示装置および液晶表示装置の駆動方法を提供する。【解決手段】互いに対向するアレイ基板１および対向基板２と、一対の基板１、２間に挟持された液晶層３と、マトリクス状に配置された複数の表示画素ＰＸからなる表示部ＤＹＰと、を備えた液晶表示パネルＤＰと、複数の表示画素ＰＸを駆動する駆動手段ＳＤ、ＧＤと、駆動手段ＳＤ、ＧＤを制御する制御手段５と、を備え、アレイ基板１は、複数の表示画素ＰＸのそれぞれに配置された画素電極ＰＥを有し、対向基板２は、複数の画素電極ＰＥに対向するように配置された対向電極ＣＥを有し、制御手段５は、駆動手段ＳＤ、ＧＤを制御して、１フレーム期間毎に画素電極ＰＥに供給する電圧信号の極性を反転させる極性反転手段と、１フレーム期間内の画素電極ＰＥに画素電圧が保持された保持期間に、画素電圧に電圧を重畳させる電圧重畳手段と、を有する液晶表示装置。【選択図】      図３
2010008576.tif 000002
【特許請求の範囲】
【請求項１】
互いに対向する第１基板および第２基板と、前記一対の基板間に挟持された液晶層と、マトリクス状に配置された複数の表示画素からなる表示部と、を備えた液晶表示パネルと、
前記複数の表示画素を駆動する駆動手段と、
前記駆動手段を制御する制御手段と、を備え、
前記第１基板は、前記複数の表示画素のそれぞれに配置された画素電極を有し、
前記第２基板は、複数の前記画素電極に対向するように配置された対向電極を有し、
前記制御手段は、前記駆動手段を制御して、１フレーム期間毎に前記画素電極に供給する電圧信号の極性を反転させる極性反転手段と、１フレーム期間内の前記画素電極に画素電圧が保持された保持期間に、前記画素電圧に電圧を重畳させる電圧重畳手段と、を有する液晶表示装置。
【請求項２】
前記表示画素は、前記画素電極と前記対向電極とに印加された電圧により生じる画素容量と結合する補助容量をさらに備え、
前記駆動手段は、前記補助容量に補助容量電圧を供給する補助容量駆動手段を有し、
前記電圧重畳手段は、前記補助容量駆動手段を制御して前記補助容量の大きさを変化させ、前記画素電圧に電圧を重畳させる手段を有する請求項１記載の液晶表示装置。
【請求項３】
前記複数の表示画素が配列する行に沿って配置された走査線をさらに有する液晶表示装置であって、
前記駆動手段は、前記走査線を駆動した行単位で順次前記表示画素を選択する走査線駆動手段を有し、
前記表示画素は、前記画素電極と前記対向電極とに印加された電圧により生じる画素容量と結合する第１寄生容量をさらに備え、
前記電圧重畳手段は、前記走査線駆動手段を制御して前記第１寄生容量の大きさを変化させて前記画素電圧に電圧を重畳させる手段である請求項１または請求項２記載の液晶表示装置。
【請求項４】
前記液晶層はＯＣＢ液晶を含み、
前記制御手段は、前記駆動手段を駆動して、前記複数の表示画素に映像信号と逆転移防止信号とを周期的に書き込む逆転移防止信号書き込み手段を有する請求項１乃至請求項３のいずれか１項記載の液晶表示装置。
【請求項５】
前記液晶表示パネルを照明する照明手段をさらに有し、
前記制御手段は、１フレーム期間内において前記複数の表示画素に順次逆転移防止信号を書き込み、前記逆転移防止信号書き込み後に前記複数の表示画素に順次映像信号を書き込み、前記映像信号書き込み後に前記照明手段を点灯させるＡＢＣ駆動手段を有する請求項４記載の液晶表示装置。
【請求項６】
前記複数の表示画素が配列する列に沿って配置された信号線をさらに有する液晶表示装置であって、
前記駆動手段は、前記信号線を駆動する信号線駆動手段を有し、
前記電圧重畳手段は、前記信号線駆動手段を制御して前記第３期間に前記画素電極と対向電極とに印加された電圧により生じる画素容量に結合する第１寄生容量の大きさ変化させて前記画素電圧に電圧を重畳させる手段である請求項５記載の液晶表示装置。
【請求項７】
１フレーム期間毎に表示画素に供給される信号の極性が反転する液晶表示装置の駆動方法であって、
画素電極に電圧信号を書き込む信号書き込みステップと、
１フレーム期間内の画素電極に画素電圧が保持された保持期間中に、前記画素電圧に電圧を重畳させる電圧重畳ステップと、を有する液晶表示装置の駆動方法。
【請求項８】
前記電圧重畳ステップは、補助容量駆動手段を制御して、前記画素電極と対向電極とに印加された電圧により生じる画素容量に結合する補助容量の大きさを変化させ、前記画素電圧に電圧を重畳させる補助容量電圧変更ステップを有している請求項７記載の液晶表示装置の駆動方法。
【請求項９】
前記電圧重畳ステップは、走査線駆動手段を制御して、前記画素電極と対向電極とに印加された電圧により生じる画素容量に結合する第１寄生容量の大きさを変化させ、前記画素電圧に電圧を重畳させるステップを有する請求項７または請求項８記載の液晶表示装置の駆動方法。
【請求項１０】
１フレーム期間において、前記複数の表示画素に順次逆転移防止信号を書き込み、前記逆転移防止信号書き込み後に前記複数の表示画素に順次映像信号を書き込み、前記映像信号書き込み後に前記照明手段を点灯させるＡＢＣ駆動ステップを有する液晶表示装置の駆動方法であって、
前記電圧重畳ステップは、前記第３期間において信号線駆動手段を制御して、前記画素電極と対向電極とに印加された電圧により生じる画素容量に結合する第２寄生容量を変化させて前記画素電圧に電圧を重畳させる手段である請求項７乃至請求項９のいずれか１項記載の液晶表示装置の駆動方法。
【発明の詳細な説明】
【技術分野】
【０００１】
この発明は、液晶表示装置および液晶表示装置の駆動方法に関し、特に、アクティブマトリクス型液晶表示装置およびその駆動方法に関する。
【背景技術】
【０００２】
液晶表示装置は、液晶表示パネルと、液晶表示パネルを制御する制御回路とを有している。液晶表示パネルは、互いに対向する一対の基板と、この一対の基板間に挟持された液晶層と、マトリクス状に配置された複数の表示画素からなる表示部ＤＹＰとを有している。
【０００３】
表示部ＤＹＰには、表示画素が配列する行に沿って延びるゲート線と、表示画素が配列する列に沿って延びるソース線とが配置されている。それぞれの表示画素には、ゲート線とソース線との交差する位置近傍に画素スイッチが配置されている。
【０００４】
液晶を用いて画像表示を行う場合は、液晶の信頼性、寿命等を向上させるために一般的に交流により駆動されている。即ち、映像信号は、周期的に共通電極の電位に対する極性を反転されて、それぞれの表示画素に供給される。例えば、フレーム反転駆動を採用した場合にはフレーム単位で映像信号が逆極性に設定される。
【０００５】
しかしながら、このようにフレーム反転駆動を行った場合、正極性のフレームと負極性のフレームとがフレーム周期で交互に繰り返されるため、フリッカが視認される場合があった。これは、画素スイッチ等により不可避的に形成される寄生容量等の影響によるもので、従来、共通電極の電位を調整者が調整することで低減している。
【０００６】
また液晶パネルのフリッカの状態を確認する方法としては、例えば光センサを用いてフリッカを測定し、その測定結果を最適電位からのずれの測定信号として出力する方法が提案されている（特許文献１参照）。
【特許文献１】特開平１−２６９９９１号公報
【発明の開示】
【発明が解決しようとする課題】
【０００７】
しかし、上記のように共通電極電位を調整した場合であっても、正極性の映像信号を表示画素に印加したときの光学応答波形と、負極性の映像信号を表示画素に印加したときの光学応答波形とが異なる形状の場合にはフリッカが発生する場合があった。
【０００８】
本発明は上記の問題点に鑑みてなされたものであって、フリッカの発生を防止し表示品位の高い液晶表示装置および液晶表示装置の駆動方法を提供することを目的とする。
【課題を解決するための手段】
【０００９】
本発明の第１態様による液晶表示装置は、互いに対向する第１基板および第２基板と、前記一対の基板間に挟持された液晶層と、マトリクス状に配置された複数の表示画素からなる表示部ＤＹＰと、を備えた液晶表示パネルと、前記複数の表示画素を駆動する駆動手段と、
前記駆動手段を制御する制御手段と、を備え、前記第１基板は、前記複数の表示画素のそれぞれに配置された画素電極を有し、前記第２基板は、複数の前記画素電極に対向するように配置された対向電極を有し、前記制御手段は、前記駆動手段を制御して、１フレーム期間毎に前記画素電極に供給する電圧信号の極性を反転させる極性反転手段と、１フレーム期間内の前記画素電極に画素電圧が保持された保持期間に、前記画素電圧に電圧を重畳させる電圧重畳手段と、を有する。
【００１０】
本発明の第２態様による液晶表示装置の駆動方法は、１フレーム期間毎に表示画素に供給される信号の極性が反転する液晶表示装置の駆動方法であって、画素電極に電圧信号を書き込む信号書き込みステップと、１フレーム期間内の画素電極に画素電圧が保持された保持期間中に、前記画素電圧に電圧を重畳させる電圧重畳ステップと、を有する。
【発明の効果】
【００１１】
この発明によれば、フリッカの発生を防止し表示品位の高い液晶表示装置および液晶表示装置の駆動方法を提供することができる。
【発明を実施するための最良の形態】
【００１２】
以下、本発明の第１実施形態に係る液晶表示装置について図面を参照して説明する。図１に示すように、本実施形態に係る液晶表示装置は、液晶表示パネルＤＰと、液晶表示パネルＤＰを照明する面光源装置としてバックライトＢＬと、これら液晶表示パネルＤＰおよびバックライトＢＬを制御する制御部ＣＮＴと、を有している。
【００１３】
液晶表示パネルＤＰは、一対の基板、すなわちアレイ基板１および対向基板２と、これらアレイ基板１および対向基板２間に挟持された液晶層３とを有している。液晶表示パネルＤＰは、マトリクス状に配置された複数の表示画素ＰＸからなる表示部ＤＹＰを有している。
【００１４】
アレイ基板１は、各表示画素ＰＸに配置された画素電極ＰＥを有している。アレイ基板１は、画素電極ＰＥが配列する行に沿って配置されたソース線Ｓ（Ｓ１〜Ｓｎ）と、画素電極ＰＥが配列する列に沿って配置されたゲート線Ｇ（Ｇ１〜Ｇｍ）と、ソース線Ｓおよびゲート線Ｇが交差する位置の近傍に配置された画素スイッチＳＷを有している。
【００１５】
画素スイッチＳＷは、例えば薄膜トランジスタ（ＴＦＴ）等のスイッチング素子を有している。画素スイッチＳＷのゲート電極は、対応するゲート線Ｇに接続されている（あるいは一体に形成されている）。画素スイッチＳＷのソース電極は、対応するソース線Ｓに接続されている（あるいは一体に形成されている）。画素スイッチＳＷのドレイン電極は、画素電極ＰＥに接続されている。
【００１６】
対向基板２は、例えばガラス等の透明絶縁基板上に配置されるカラーフィルタ（図示せず）、および複数の画素電極ＰＥに対向してカラーフィルタ上に配置される共通電極ＣＥ等を有している。各画素電極ＰＥおよび共通電極ＣＥは、例えば、ＩＴＯ等の透明電極材料からなり、互いに対向する一対の配向膜（図示せず）でそれぞれ覆われている。本実施形態に係る液晶表示装置の場合、この一対の配向膜は、互いに略平行な方向にラビング処理が施されている。
【００１７】
本実施形態に係る液晶表示装置の液晶層３は、例えば５msec以下の高速応答が可能なＯＣＢ液晶を液晶材料として含んでいる。本実施形態に係る液晶表示装置は、液晶層３に含まれる液晶分子が、液晶表示装置が表示状態のときにベンド配向となるＯＣＢ型液晶表示装置である。
【００１８】
表示画素ＰＸは、画素電極ＰＥおよび共通電極ＣＥからの電界に対応した液晶分子配列に制御される液晶層３の画素領域によって構成される。また、複数の表示画素ＰＸは、各々画素電極ＰＥおよび共通電極ＣＥ間に生じる液晶容量Ｃｌｃと、液晶容量Ｃｌｃと結合する補助容量Ｃｓとを有している。
【００１９】
表示画素ＰＸは、さらに画素スイッチＳＷのソース電極とドレイン電極とに印加される電位により生じる第２寄生容量Ｃｓｄと、画素スイッチＳＷのゲート電極とドレイン電極とに印加される電位により生じる第１寄生容量Ｃｇｄとを有している。
【００２０】
制御部ＣＮＴは、ゲートドライバＧＤ、ソースドライバＳＤ、およびバックライト駆動部ＬＤを制御する制御回路５を有している。ゲートドライバＧＤには全てのゲート線Ｇが接続されている。ソースドライバＳＤには、全てのソース線Ｓが接続されている。
【００２１】
本実施形態に係る液晶表示装置では、表示画素ＰＸに印加する信号の極性の切り替えを１フレーム期間単位で行うフレーム反転駆動を採用している。すなわち、本実施形態に係る液晶表示装置の制御回路５は、表示画素ＰＸに印加する映像信号および逆転移防止信号の極性を１フレーム期間単位に反転させる極性反転部（図示せず）を有している。
【００２２】
本実施形態では、正極性の映像信号又は逆転移防止信号が印加されるフレーム期間を正極フレームとし、負極性の映像信号又は逆転移防止信号が印加されるフレーム期間を負極フレームとする。
【００２３】
ゲートドライバＧＤは、制御回路５によって制御され、例えば図２に示すようにゲート線Ｇを順次駆動する。ゲート線Ｇが駆動されると、駆動されたゲート線Ｇに接続された画素スイッチＳＷのソース電極とドレイン電極との間が導通する。
【００２４】
ソースドライバＳＤは、ソース線Ｓを順次駆動し、ゲートドライバＧＤによって駆動されたゲート線Ｇに接続された画素スイッチＳＷを介して表示画素ＰＸに対応する映像信号又は逆転移防止信号を印加する。
【００２５】
ソース線Ｓに映像信号又は逆転移防止信号が印加されると、表示画素ＰＸの画素電極ＰＥに映像信号又は逆転移防止信号が書込まれ、次の信号が書き込まれるまで一定期間保持される。本実施形態に係る液晶表示装置では、逆転移防止信号として例えば黒表示に対応した映像信号を用いている。
【００２６】
制御回路５は、上記のようにアレイ基板１の画素電極ＰＥおよび対向基板２の共通電極ＣＥ間において液晶層３に所定の信号を印加し、液晶表示パネルＤＰの透過率を制御している。
【００２７】
さらに、図１に示すように、ゲートドライバＧＤには補助容量Ｃｓに補助容量電圧を供給する補助容量線Ｃが接続されている。本実施形態では、ゲートドライバＧＤは、制御回路５に制御されて補助容量線Ｃに所定の補助容量電圧を供給する補助容量駆動部（図示せず）を有している。
【００２８】
本実施形態に係る液晶表示装置では、制御回路５は、ゲートドライバＧＤの補助容量駆動部を制御して補助容量線Ｃを駆動させる補助容量電圧制御部（図示せず）を有している。ゲートドライバＧＤの補助容量駆動部は、補助容量電圧制御部に制御され、図３に示すように、表示画素ＰＸの画素電極ＰＥに映像信号および／又は逆転移防止電圧が書き込まれた後、画素電極ＰＥに保持される画素電圧の保持期間に、補助容量線Ｃに印加する補助容量電圧を変化させる。なお、図３では、正極フレームと負極フレームとで中間調を表示させる映像信号を画素電極ＰＥに印加した場合の波形を示している。
【００２９】
バックライトＢＬは、光源として、例えば複数の冷陰極管（図示せず）を有している。バックライトＢＬは、光源からの光が出射される領域が液晶表示パネルＤＰの表示部ＤＹＰに対応するように液晶表示パネルＤＰの背面側に配置される。
【００３０】
バックライト駆動部ＬＤは、制御回路５のバックライト制御部６に制御され、バックライト駆動部ＬＤは、例えば液晶表示パネルＤＰの走査タイミングと同期して複数の光出射領域（図示せず）が順次点灯するようにバックライトＢＬを駆動する。
【００３１】
次に、本実施形態に係る液晶表示装置の駆動方法について説明する。本実施形態に係る液晶表示装置では、図２に示すように、制御回路５はゲートドライバＧＤおよびソースドライバＳＤを制御して、１水平期間内の前半の第１期間Ｔ１に、選択された走査線Ｇに接続する表示画素ＰＸの画素電極ＰＥに逆転移防止信号として黒表示に対応した映像信号を書き込む。さらに、制御回路５は、ゲートドライバＧＤおよびソースドライバＳＤを制御して、１水平期間内の後半の第２期間Ｔ２に、選択された走査線Ｇに接続する画素電極ＰＥに映像信号を書き込む。
【００３２】
このとき、逆転移防止信号が画素電極ＰＥに書き込まれてから、映像信号が画素電極ＰＥに書き込まれるまでの期間（黒挿入期間）が、逆転移防止のために１フレーム期間の一定割合以上となるように、画素電極ＰＥに逆転移防止信号及び映像信号が書き込まれる。
【００３３】
制御回路５は、ゲートドライバＧＤを制御して、補助容量線Ｃに所定の補助容量電圧を印加させる。本実施形態に係る液晶表示装置は、極性反転方式としてフレーム反転駆動を採用しているため、図３に示すように、補助容量電圧制御部は補助容量線Ｃに印加される補助容量電圧の極性を１フレーム期間毎に反転させる。
【００３４】
図３に示すように、正極フレームでは、ゲートドライバＧＤは画素電極ＰＥに映像信号が印加された後、補助容量電圧が小さくなるように補助容量線Ｃに印加する電圧を変化させる。負極フレームでは、ゲートドライバＧＤは画素電極ＰＥに映像信号が印加された後、補助容量電圧が大きくなるように補助容量線Ｃに印加する電圧を変化させる。
【００３５】
このように、補助容量電圧を変化させると、図３に示すように画素電圧の保持期間において、画素電圧が変化することが抑制される。図３に示す場合では、正極フレームで、映像信号又は逆転移防止信号書き込み後に、画素電圧が所望の値Ｖｄより徐々に大きくなることが抑制され、負極フレームで、映像信号又は逆転移防止信号書き込み後に、画素電圧が所望の値Ｖｄより徐々に小さくなることが抑制されている。
【００３６】
その結果、図３に示すように、液晶表示装置の光学応答波形が正極フレームと負極フレームとで同様の形状となり、フレーム反転駆動を行った場合であっても、フリッカが発生することがなくなる。
【００３７】
すなわち、本実施形態に係る液晶表示装置および液晶表示装置の駆動方法によれば、フリッカの発生を防止し表示品位の高い液晶表示装置および液晶表示装置の駆動方法を提供することができる。
【００３８】
次に、本発明の第２実施形態に係る液晶表示装置および液晶表示装置の駆動方法について説明する。なお、以下の説明において、上述の第１実施形態に係る液晶表示装置および液晶表示装置の駆動方法と同様の構成については、同一の符号を付して説明を省略する。
【００３９】
本実施形態に係る液晶表示装置は、制御回路５が、映像信号書き込み後に画素電極ＰＥに保持される画素電圧の保持期間において、ゲートドライバＧＤがゲート線Ｇに供給するゲート電圧を変化させるゲート電圧制御部（図示せず）を有している。
【００４０】
ゲートドライバＧＤは、ゲート電圧制御部に制御されて、画素電極ＰＥに映像信号及び／又は逆転移防止信号が書き込まれた後に、ゲート線Ｇに供給されるゲート電圧の値を変化させる。図４に示す場合では、正極フレームの保持期間で、ゲート電圧を小さくするように変化させ、負極フレームの保持期間でゲート電圧を大きくするように変化させる。
【００４１】
この様に、画素電圧の保持期間にゲート電圧を変化させると、ゲート電圧の変化に伴って第１寄生容量Ｃｇｄの値が変化する。すなわち、正極フレームの保持期間では、第１寄生容量Ｃｇｄの大きさが小さくなり、負極フレームの保持期間では、第１寄生容量Ｃｇｄの大きさが大きくなる。
【００４２】
この第１寄生容量Ｃｇｄの大きさの変化によって、図４に示すように、画素電圧の保持期間での画素電圧の変化が抑制される。図４に示す場合では、正極フレームで、映像信号書き込み後に、画素電圧が所望の値Ｖｄより徐々に大きくなることが抑制され、負極フレームで、映像信号書き込み後に、画素電圧が所望の値Ｖｄより徐々に小さくなることが抑制されている。
【００４３】
このため、上記のようにゲート電圧を変化させると、図４に示すように、液晶表示装置の光学応答波形が正極フレームと負極フレームとで同様の形状となる。その結果、本実施形態に係る液晶表示装置によれば、フレーム反転駆動を行った場合であっても、フリッカが発生することがなくなる。
【００４４】
すなわち、本実施形態に係る液晶表示装置および液晶表示装置の駆動方法によれば、上述の第１実施形態に係る液晶表示装置および液晶表示装置の駆動方法と同様の効果が得られる。
【００４５】
次に、本発明の第３実施形態に係る液晶表示装置および液晶表示装置の駆動方法について説明する。本実施形態に係る液晶表示装置は、制御回路５が、ゲートドライバＧＤ、ソースドライバＳＤ、バックライト駆動部ＬＤを制御して、図５に示すように、１フレーム期間の第１期間において逆転移防止信号書き込みを行い、第１期間の一部と重複する第２期間において映像信号書き込みを行い、第２期間に続く第３期間（以下、ホールド期間という）において、バックライトＢＬを点灯させて表示部ＤＹＰに画像を表示させる。
【００４６】
さらに、本実施形態に係る液晶表示装置は、制御回路５が、画素電圧の保持期間において、ソースドライバＳＤがソース線Ｓに供給する電圧を変化させるソース電圧制御部（図示せず）を有している。
【００４７】
すなわち、図６に示すように、ソース電圧制御部は、正極フレームのホールド期間において、ソース電圧を小さくするようにソースドライバＳＤを制御し、負極フレームのホールド期間においてソース電圧を大きくするようにソースドライバＳＤを制御する。
【００４８】
上記のようにソース電圧を変化させると、ホールド期間において第２寄生容量Ｃｓｄの値が変化する。正極フレームのホールド期間では、第２寄生容量Ｃｓｄの値が小さくなり、負極フレームのホールド期間では第２寄生容量Ｃｓｄの値が大きくなる。その結果、図６に示すように、正極フレームのホールド期間では、画素電圧が徐々に大きくなることが抑制され、所望の値Ｖｄに近くなる。負極フレームのホールド期間では、画素電圧が徐々に小さくなることが抑制され、画素電圧が所望の値Ｖｄに近くなる。
【００４９】
このため、上記のようにソース電圧を変化させると、図６に示すように、液晶表示装置の光学応答波形が正極フレームと負極フレームとで同様の形状となる。その結果、本実施形態に係る液晶表示装置によれば、フレーム反転駆動を行った場合であっても、フリッカが発生することがなくなる。
【００５０】
すなわち、本実施形態に係る液晶表示装置および液晶表示装置の駆動方法によれば、上述の第１実施形態に係る液晶表示装置および液晶表示装置の駆動方法と同様の効果が得られる。
【００５１】
なお、この発明は、上記実施形態そのままに限定されるものではなく、実施段階ではその要旨を逸脱しない範囲で構成要素を変形して具体化できる。上記の実施形態に係る液晶表示装置はＯＣＢ型液晶表示装置であったが、他のモードの液晶表示装置にも適用することが可能である。なお、液晶の応答速度が速いときに、正極性の映像信号を印加した際と負極性の映像信号を印加した際との液晶の光学応答波形の違いが顕著に現れることから、本発明は液晶の応答速度が速い場合により有効であって、特に、液晶層に印加される画素電圧の立上りの応答が１０msec以下の液晶表示装置に適用すると有効である。
【００５２】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５３】
【図１】本発明の一実施形態に係る液晶表示装置の一構成例を概略的に示す図。
【図２】本発明の一実施形態に係る液晶表示装置の駆動方法の一例を説明するための図。
【図３】本発明の第１実施形態に係る液晶表示装置の駆動方法の一例を説明するための図。
【図４】本発明の第２実施形態に係る液晶表示装置の駆動方法の一例を説明するための図。
【図５】本発明の一実施形態に係る液晶表示装置の駆動方法の他の例を説明するための図。
【図６】本発明の第３実施形態に係る液晶表示装置の駆動方法の一例について説明するための図。
【符号の説明】
【００５４】
ＰＸ…表示画素、Ｃｌｃ…液晶容量、ＰＥ…画素電極、ＣＥ…対向電極、ＤＰ…液晶表示パネル、ＤＹＰ…表示部、１…アレイ基板、２…対向基板、３…液晶層、５…制御回路、ＧＤ…ゲートドライバ、ＳＤ…ソースドライバ
【図１】
2010008576.tif 000003
【図２】
2010008576.tif 000004
【図３】
2010008576.tif 000005
【図４】
2010008576.tif 000006
【図５】
2010008576.tif 000007
【図６】
2010008576.tif 000008